(57)【要約】  【課題】  疲労感が解消されるだけでなく、爽快感を得ることができるようにした健康増進具を提供する。  【解決手段】  人体の胸部を押さえることによって疲労感を軽減し解消できるとともに、爽快感が得られるようにした健康増進具であって、少なくとも人体の肩甲骨の間の領域に当てられる支持ベース(10)と、基部(12A,16A)が支持ベースに取付けられ、基部に連続する部分が人体の肩部上方又は人体側方を通って前方に延びるアーム部(12,16,22)と、アーム部の先端側に設けられ、人体の胸部に押圧力を加えることのできるようにした胸押さえ部(14,17,20,21)を備える。【選択図】  図１
2006263393.tif 000002
【特許請求の範囲】
【請求項１】
人体の胸部を押さえることによって疲労感を軽減し解消できるとともに、爽快感が得られるようにした健康増進具であって、
少なくとも人体の肩甲骨の間の領域に当てられる支持ベースと、
基部が上記支持ベースに取付けられ、上記基部に連続する部分が人体の肩部上方又は肩部側方を通って前方に延びるアーム部と、
該アーム部の先端側に設けられ、人体の胸部に押圧力を加えることのできるようにした胸押さえ部と、
を備えたことを特徴とする健康増進具。
【請求項２】
上記アーム部が、人体の首部に押圧力を加えることのできるようにした首押さえ部となっている請求項１記載の健康増進具。
【請求項３】
上記アーム部が、人体の肩部に押圧力を加えることのできるようにした肩押さえ部となっている請求項１記載の健康増進具。
【請求項４】
上記胸押さえ部は位置をずらせながら押圧力を加えることができるようになっている請求項１記載の健康増進具。
【請求項５】
上記首押さえ部又は肩押さえ部は位置をずらせながら押圧力を加えることができるようになっている請求項２又は３記載の健康増進具。
【請求項６】
上記胸押さえ部又はアーム部にはハンドル部が設けられている請求項１記載の健康増進具。
【請求項７】
上記ハンドル部はその操作によって押圧力を加えることのできる位置をずらせるようになっている請求項６記載の健康増進具。
【請求項８】
上記胸押さえ部はエアーの送給によって膨らむ袋体を含んで構成され、該袋体が複数のエアー室に区画されかつ隣接するエアー室が小孔によって連通され、上記隣接するエアー室に順次エアーが送給されることにより、位置をずらせながら膨らむように構成されている請求項１記載の健康増進具。
【請求項９】
上記胸押さえ部はエアーの送給によって膨らむ複数の袋体を含んで構成され、該複数の袋体にはエアーが時間差をもって送給されることにより、位置をずらせながら膨らむように構成されている請求項１記載の健康増進具。
【請求項１０】
上記支持ベースが椅子の背もたれ又はマッサージチェアの背もたれである請求項１記載の健康増進具。
【発明の詳細な説明】
【技術分野】
【０００１】
この発明は健康増進具に関し、特に疲労感が解消されるだけでなく、爽快感を得ることができるようにした器具に関する。
【背景技術】
【０００２】
最近、パソコンの普及に伴い、パソコンのオペレータで疲労、頭痛、肩凝り等の身体の不調を訴える人が増える傾向にある。かかる身体の不調はパソコンの操作中に前屈みの姿勢を長時間にわたってとることが多く、しかも過度のストレスを受ける結果、首、肩、背中の筋肉や血管が緊張してしまうことが原因であるとされている。
【０００３】
上述の肩凝りなどの身体の不調については、バンドやベルトによって両肩を後方に引っ張って前屈みの姿勢を矯正することにより筋肉や血管の緊張を解放し、肩凝り等を解消するようにした姿勢矯正具（特許文献１、特許文献２）、背当てによって人体を支え、背当てに肩押さえを取付け、両肩を後方に押して胸を反らせ、肩甲骨周辺の筋肉を弛緩させてからマッサージをすることにより、苦痛を感じることなく筋肉をマッサージできるようにしたマッサージ機（特許文献３）、などが提案されている。
【０００４】
【特許文献１】特開２００２−３１５７６８号公報
【特許文献２】特許第２９０２３６８号公報
【特許文献３】特開２０００−２７９４７０号公報
【発明の開示】
【発明が解決しようとする課題】
【０００５】
本件発明者らは上述のような身体の不調について鋭意研究を重ね、種々の実験を繰り返したところ、人体の胸部を適度な力で軽く押さえると、疲労感が軽減され解消されるだけでなく、爽快感を得ることができ、その後に筋肉などのマッサージを行うと、疲労や肩凝りなどを顕著に解消できることを知見するに至った。
【０００６】
しかるに、上記特許文献１〜３記載の姿勢矯正具やマッサージ機では両肩を後方に引っ張ったり押したりできるだけであり、胸部を軽く押さえるということはできない構造であった。
【０００７】
本発明はかかる点に鑑み、疲労感が解消されるだけでなく、爽快感を得ることができるようにした健康増進具を提供することを課題とする。
【課題を解決するための手段】
【０００８】
そこで、本発明に係る健康増進具は、人体の胸部を押さえることによって疲労感を軽減し解消できるとともに、爽快感が得られるようにした健康増進具であって、少なくとも人体の肩甲骨の間の領域に当てられる支持ベースと、基部が上記支持ベースに取付けられ、上記基部に連続する部分が人体の肩部上方又は人体側方を通って前方に延びるアーム部と、該アーム部の先端側に設けられ、人体の胸部に押圧力を加えることのできるようにした胸押さえ部と、を備えたことを特徴とする。
【０００９】
本発明の特徴の１つは胸押さえ部によって人体の胸部を適切な力で押さえることができるようにした点にある。これにより、疲労感が解消されるだけでなく、爽快感が得られることとなる。
【００１０】
ところで、リンパは血液と密接に関係して人体組織の水分や老廃物を運ぶ働きを有し、最終的に静脈に取り込まれ、リンパ中の水分や老廃物は尿として体外に排泄されるが、リンパが停滞すると、人体組織に老廃物がたまるうえ、栄養補給も十分に行われなくなることから、リンパの停滞も疲労、頭痛、肩凝りなどを招く原因となる。
【００１１】
人体のリンパ管は数本がリンパ節で合流して次第に太くなっている。このリンパ節は全身で８００個程度あるのに対し、人体首部とその近くには３００個ものリンパ節が集中している。首部のリンパ管に流れるリンパは肩部のリンパ管を経て腋窩のリンパ管に流れ、又胸部のリンパ管に流れるリンパは腋窩のリンパ管に流れるようになっている。
【００１２】
上述のように人体の胸部を適度な力で押さえると、リンパの停滞が軽減され解消される結果、全身のリンパの流れも円滑になり、全身の老廃物が体外に排泄され、疲労、頭痛、肩凝りなどの身体の不調を解消できることが期待される。
【００１３】
また、全身の老廃物が体外に排泄された後、筋肉をマッサージして筋肉や血管の緊張を解放すると、上述のように疲労感が解消されて爽快感が得られ、つまり心理的にリラックスした状態で筋肉がマッサージされることと相まって、マッサージの効果が顕著に現れ、疲労、頭痛、肩凝りなどの身体の不調をより確実に解消できる。
【００１４】
上述のように、腋窩のリンパ管には首部のリンパ管や肩部のリンパ管からのリンパが流れ込んでいる。そこで、リンパの停滞を軽減し解消する上で、人体の首部及び肩部に押圧力を加えることができるようにするのがよい。
【００１５】
即ち、アーム部を、人体の首部に押圧力を加えることのできるようにした首押さえ部、あるいは人体の肩部に押圧力を加えることのできるようにした肩押さえ部として利用するのがよい。
【００１６】
アーム部を首押さえ部や肩押さえ部に利用する場合、アーム部の基部を支持ベースに揺動可能に取付け、基部の揺動によって人体首部及び人体肩部の一方又は両方に接触させることができるように構成することができる。
【００１７】
胸押さえ部には人体の胸部に接触する形状部分に加え、さらに人体胸部から腋窩下側に回り込むような形状とし、腋窩下側を適度に押さえることができるようにしてもよい。
【００１８】
本発明に係る健康増進具はベッドに搭載し、仰臥位の姿勢で胸部などを押さえることができるようにしてもよく、又椅子の背もたれやマッサージチェアの背もたれを支持ベースとして利用し、椅子又はマッサージチェアに搭載しあるいは着脱自在に取付け、着座した姿勢で胸部などを押さえることができるようにしてもよい。また、本発明に係る健康増進具は携帯式に構成し、任意の場所で任意の姿勢で胸部などを押さえることができるようにしてもよい。
【００１９】
例えば、ベッド上で仰臥位の姿勢で押さえ動作を行う場合、アーム部を自動的に又は手動にて揺動又は傾動させて胸押さえ部が人体の胸部に来るように人体にセットしてもよい。また、胸押さえ部又はアーム部には胸押さえ部を人体に接触させて軽く押さえることのできるハンドル部を設け、自分の手で胸押さえ部を操作できるようにしてもよい。
【００２０】
アーム部を首押さえ部や肩押さえ部として利用する場合、アーム部の人体首部や肩部に当たる部分を軟質素材で形成し、この軟質素材の部分を人体首部や肩部に軽く押しつけ、その時に例えばリンパの流れる方向に時間差をもって当たるような形状とするようにしてもよく、又ハンドル部を設ける場合にはハンドル部の操作によって首部や肩部の押さえる位置をずらせるようにすることもできる。
【００２１】
また、胸押さえ部は人体胸部に当たる部分を軟質素材で形成し、この軟質素材の部分を人体胸部に押しつけた時に例えばリンパの流れる方向に時間差をもって当たる形状とすることによって位置をずらせて押さえられるようにしてもよく、又人体に接触させるためのハンドル部を設け、ハンドル部の操作によって押さえる位置をずらせるようにすることもできる。この場合、アーム基部の揺動を利用して胸押さえ部自体を移動させるようにしてもよく、又胸押さえ部に板材を内蔵し、板材を傾動させることにより押さえる位置をずらせるようにすることもできる。
【００２２】
さらに、ハンドル部の操作によって押さえ動作を行う代わりに、エアーの送給によって押さえ動作を行うようにしてもよい。
【００２３】
即ち、胸マッサージ部は、エアーの送給によって膨らむ袋体を含んで構成し、袋体を複数のエアー室に区画しかつ隣接するエアー室を小孔によって連通し、隣接するエアー室に順次エアーを送給することにより、位置をずらしながら膨らむように構成することができる。
【００２４】
また、胸マッサージ部は、エアーの送給によって膨らむ複数の袋体を含んで構成し、複数の隣接する袋体に順次エアーを送給することにより、位置をずらしながら膨らむように構成することができる。
【００２５】
ここで、請求の範囲でいう「押圧力」は特許文献１〜３に記載の姿勢矯正具やマッサージ機のように、前屈みの姿勢を矯正しあるいは胸を反らせることを目的とするものではなく、人体を適度の力で軽く押さえて、疲労感を解消し、爽快感を得るので、その強さは使用する者によって適宜選択されるのがよい。例えば、強めに押さえるのが心地よい人もいれば、弱めに押さえるのがよい人もいるからである。
【００２６】
また、胸押さえ部及びアーム部は１つだけ設け、身体の左側部分及び右側部分の押さえ動作を交互に、あるいは左側部分及び右側部分の一方の押さえ動作が終わった後、他方の押さえ動作を行うようにしてもよく、又身体の左側及び右側に胸押さえ部及びアーム部を各々設けるようにしてもよい。
【００２７】
さらに、胸押さえ部及びアーム部には振動子を内蔵し、押さえ動作中に適度な振動を加えるようにしてもよく、さらにヒータを内蔵し、押さえる部分を温めて血行を促進させるようにしてもよい。
【発明を実施するための最良の形態】
【００２８】
以下、本発明を図面に示す具体例に基づいて詳細に説明する。図１ないし図３は本発明に係る健康増進具の好ましい実施形態を示す。図において、背当て部（支持ベース）１０はほぼ四角形状でかつ人体の背中の左右の肩甲骨の一部及びその間の部分の立体形状に合致した立体形状の硬質プラスチック製や木製のプレートを軟質素材のシート、例えば軟質ゴム製や軟質プラスチック製のシートで覆って製作されている。なお、背当て部１０の材料や構造は特に限定されず、他の素材を用い、他の構造を採用することができる。
【００２９】
この背当て部１０には取付け部１１が取付けられ、取付け部１１にはアーム部（首押さえ部兼肩押さえ部）１２の基部１２Ａが公知のユニバーサルジョイント１２Ｂによってアーム部１２を任意の方向及び任意の角度に指向させ得るように取付けられている。このアーム部１２は人体の肩部が嵌まり込むような側面逆Ｕ字状の金属パイプ製又は硬質合成樹脂パイプ製のアームの外側を軟質素材、例えば軟質ゴム又は軟質プラスチック等の素材で覆って製作されている。
【００３０】
このアーム部１２の先端側にはハンドル部１３が水平方向に延びる取付軸１３Ａの回りに回転自在に枢支され、ハンドル部１３の下端部は人体中心側に向けて折り曲げられ、該折り曲げ部分には胸押さえ部１４が取付けられている。この胸押さえ部１４は軟質素材、例えば軟質ゴムや軟質プラスチック等の素材で中空状又は中実状に製作されている。
【００３１】
疲労感を解消し爽快感を得る場合、図１に示されるように、アーム部１２が人体首部１００の側方で人体肩部１１０の上方にくるように本例の健康増進具を身体にセットし、ハンドル部１３を手で握り、アーム部１２をその基部１２Ａの回りに揺動させて人体首部１００に接触させ、人体首部１００を上から下に向けてスライドさせると、首部１００の疲労感を解消できるとともに、爽快感を得ることができる。
【００３２】
次に、ハンドル部１３を操作し、アーム部１２をその基部１２Ａの回りに揺動させて人体肩部１１０に接触させ、首部１００から外方に向けてスライドさせると、肩部１１０の疲労感を解消できるとともに、爽快感が得られる。
【００３３】
最後に、ハンドル部１３を操作し、胸押さえ部１４を人体胸部１２０の身体中央側に接触させ、中央から外方に向けてスライドさせると、胸部１２０の疲労感を解消できるとともに、爽快感を得ることができる。
【００３４】
また、上述の首部１００、肩部１１０及び胸部１２０を押さえている際に、人体首部１００、肩部１１０及び胸部１２０の表面リンパ管がリンパの流れる方向（図３の矢印Ａ、Ｂ、Ｃ）に位置をずらせながら軽く押さえられているので、リンパの停滞も軽減し解消することができ、老廃物が体外に排泄され、疲労、頭痛、肩凝りなどの身体の不調を解消できる。
【００３５】
その後、筋肉をマッサージして筋肉や血管の緊張を解放すると、老廃物が体外に排泄されているとともに、疲労感が解消されて爽快感が得られた心理的にリラックスした状態で筋肉がマッサージされる結果、疲労、頭痛、肩凝りなどの身体の不調をより確実に解消できる。
【００３６】
なお、位置をずらせる毎にハンドル部１３を緩めたり押し込んだりして押さえ動作を行ってもよい。この胸部１２０の押さえ動作は位置をずらせる方向が肩部の押さえ動作と同じであるので、肩部の押さえ動作と同時に行ってもよく、別に行ってもよい。
【００３７】
以上のように、人体首部１００、肩部１１０及び胸部１２０を位置をずらせながら適度な力で押さえるようにしたので、疲労感が解消されるとともに、爽快感が得られ、さらには疲労、頭痛、肩凝りなどの身体の不調を解消できる。
【００３８】
図４ないし図６は第２の実施形態を示し、図において図１ないし図３と同一符号は同一又は相当部分を示す。本例は人体の胸部のみを押さえるようにした健康増進具であって、背当て部１０の取付け部１１にはアーム部１６が取付けられている。このアーム部１６は人体肩部が嵌まり込むような側面逆Ｕ字状の金属パイプ製又は硬質合成樹脂パイプ製のアームの外側を軟質素材、例えば軟質ゴム又は軟質プラスチック等の素材で覆って製作されている。
【００３９】
このアーム部１６の先端側には身体中心側に向けて折り曲げた折り曲げ部分が形成され、その折り曲げ部分には胸押さえ部１７が取付けられている。この胸押さえ部１７は軟質素材、例えば軟質ゴムや軟質プラスチック等の素材を用いて製作され、内部は複数のエアー室１７Ａ〜１７Ｆに区画され、隣接するエアー室１７Ａ〜１７Ｆは小孔によって連通され、一方のエアー室１７Ａ〜１７Ｆが十分に膨らんで内部圧力が上昇した時に小孔を通して次のエアー室１７Ａ〜１７Ｆにエアーが送給される一方、反対側のエアー室１７Ｆには小孔が外方に連通して形成され、エアー室１７Ｆの内部圧力が所定の圧力以上に上昇した時にエアー室１７Ｆのエアーが外方に放出され、胸マッサージ部１７内のエアーが抜けるようになっている。
【００４０】
胸押さえ部１７の身体中心側のエアー室１７Ａにはチューブ１８Ａが接続され、チューブ１８Ａの他端は手動ポンプ１８に接続されており、手動ポンプ１８のエアー吸込み口及びエアー吐出口には逆止弁が内蔵されており、手動ポンプ１８を手で握り潰す動作を繰り返すことによって胸マッサージ部１７にエアーを送給できるようになっている。
【００４１】
人体胸部を押さえる場合、図４に示されるように、アーム部１６が人体肩部の上方にくるように本例の健康増進具を身体にセットし、胸押さえ部１７を人体胸部に当て、その状態で手動ポンプ１８を操作し、胸押さえ部１７にエアーを送給する。
【００４２】
すると、胸押さえ部１７の身体中央側のエアー室１７Ａが膨らみ、これが十分に膨らむとその外側のエアー室１７Ｂが膨らみ、同様にして隣接するエアー室１７Ｃ〜１７Ｆが次々と膨らみ、胸押さえ部１７は身体中央から外方に位置をずらしなから膨らんで人体胸部を適度な力で押すことができる。
【００４３】
胸押さえ部１７の最後のエアー室１７Ｆが膨らむと、エアー室１７Ｆのエアーが抜けるので、再び手動ポンプ１８を操作して胸押さえ部１７を膨らませればよい。
【００４４】
図７及び図８は第３の実施形態を示し、図において図１ないし図６と同一符号は同一又は相当部分を示す。本例は人体胸部のみを押さえるようにした健康増進具であり、背当て部１０の取付け部１１にはアーム部１６が取付けられ、アーム部１６の先端側にはプレート状の支持部分１６Ｂが形成され、その支持部分１６Ｂには胸押さえ部１７が取付けられている。
【００４５】
この胸押さえ部１７は軟質素材、例えば軟質ゴムや軟質プラスチック等の素材を用いて第２の実施形態と同様の構造に製作され、人体胸部を外方に向けて位置をずらしながら押すことができるようになっている。
【００４６】
また、支持部分１６Ｂには胸押さえ部１７の近くに振動子１９が内蔵され、人体胸部に振動を与えることができるようになっている。
【００４７】
人体胸部を押さえる場合、図７に示されるように、アーム部１６が人体肩部の上方にくるように本例の健康増進具を身体にセットし、胸押さえ部１７を人体胸部に当て、手動ポンプ（図示せず）によって胸押さえ部１７にエアーを送給し、同時に振動子１９に通電して振動させる。なお、手動ポンプに代えて電動ポンプを用いるようにしてもよい。
【００４８】
すると、胸押さえ部１７は身体中央から外方に位置をずらしながら膨らんで人体胸部を適度な力で押さえることができ、同時に人体胸部に振動が与えられて筋肉のマッサージも行うことができる。
【００４９】
図９は第４の実施形態を示し、図において図１ないし図８と同一符号は同一他又は相当部分を示す。本例は人体胸部のみを押さえるようにした健康増進具である。図において、フレーム２２は四角形状をなし、椅子やベッド等の取付け基部に上下動自在にあるいは傾動自在に支持されている。
【００５０】
このフレーム２２の一方の長辺部分２２Ａは人体背部に当てられて人体を支持する支持ベースとなっており、又フレーム２２の長辺部分２２Ａには電動ポンプ２５及びリリーフ弁２３、２４が設けられている。
【００５１】
また、フレーム２２の他方の長辺部分には胸押さえ部２６が設けられている。この胸押さえ部２６は中央に蛇腹状の第１のバルーン２０が取付けられ、第１のバルーン２０の先端側には軟質ゴム製や軟質プラスチック製の当たり部２０Ａが取付けられており、フレーム２２の短辺部分及び他方の長辺部分は人体側方を通って前方に延びるアーム部となっている。
【００５２】
第１のバルーン２０の両側には第２のバルーン２１が取付けられ、第２のバルーン２１の先端側には軟質ゴム製や軟質プラスチック製の当たり部２１Ａが取付けられている。この第２のバルーン２１と第１のバルーン２０とは容積が異なり、第１のバルーン２０が膨らんで当たり部２０Ａが人体胸部を押した後、第２のバルーン２１が膨らんで当たり部２１Ａが人体胸部を押すようになっている。
【００５３】
この第１、第２のバルーン２０、２１はエアー通路によって電動ポンプ２５に接続され、エアー通路の途中には所定圧力以上になったときにエアーをリリーフする公知のリリーフ弁２３、２４が設けられている。
【００５４】
人体胸部を押さえる場合、図９に示されるように、フレーム２２を傾動あるいは揺動させて身体をフレーム２２内に位置させた後、電動ポンプ２５を作動させると、第１、第２のバルーン２０、２１にエアーが送給され、まず第１のバルーン２０が膨らんでその当たり部２０Ａが人体胸部を押した後、第２のバルーン２１が膨らんでその当たり部２１Ａが人体胸部を押し、これによって人体胸部はリンパの流れる方向に位置をずらしながら押さえられる。
【００５５】
第１、第２のバルーン２０、２１内の圧力が上昇すると、リリーフ弁２３、２４が開いてエアーを放出し、人体胸部を押されるのが停止され、所定圧力以下に達すると、リリーフ弁２３、２４が閉じ、再び第１、第２のバルーン２０、２１内の圧力が上昇し、胸部が適度な力で押さえられることとなる。
【００５６】
図１０は第５の実施形態を示し、図において図１ないし図９と同一符号は同一又は相当部分を示す。本例では胸部のみを押さえる健康増進具をマッサージチェア３０に搭載している。
【００５７】
即ち、マッサージチェア３０はローラや揉み玉（図示せず）などによって人体の筋肉をマッサージするようになっており、マッサージチェア３０の背もたれ（支持ベース）３１の側面には取付けブラケット１６Ａが設けられ、取付けブラケット１６Ａは背もたれ３１内部のフレームに取付けられている。
【００５８】
取付けブラケット１６Ａにはアーム部１６の基部が上下方向に延びる軸の回りに回転自在に取付けられ、アーム部１６の先端には胸押さえ部１７が取付けられている。
【００５９】
この胸押さえ部１７は支持プレート（図示せず）の人体側の面に複数の袋体を支持して構成され、複数の袋体は軟質素材、例えば軟質ゴムや軟質プラスチック等の素材を用いて製作され、複数の袋体はリリーフ弁によって順次接続され、人体中央側の袋体に電動ポンプからのエアーチューブが接続されており、複数の袋体にエアーが時間差をもって供給されることにより、位置をずらしながら膨らみ、人体胸部を外方に向けて位置をずらしながら押すことができるようになっている。
【００６０】
また、支持プレートには振動子及びヒータ（図示せず）が内蔵され、人体胸部に振動を与えるとともに、人体胸部を適切な温度に加熱し、血行を促進させることができるようになっている。
【００６１】
人体胸部を押さえる場合、マッサージチェア３０に着座し、胸押さえ部１７が前方に来るようにアーム部１６を取付けブラケット１６Ａの回りに回転させ、胸押さえ部１７を人体胸部に当てた後、電動ポンプ（図示せず）によって胸押さえ部１７にエアーを送給し、同時に振動子に通電して振動させるとともに、ヒータに通電して発熱させる。なお、電動ポンプに代えて手動ポンプを用いるようにしてもよい。
【００６２】
すると、胸押さえ部１７は身体中央から外方に位置をずらしながら膨らんで人体胸部を適切な力で押さえることができ、同時に人体胸部に振動が与えられて筋肉のマッサージも行うことができるとともに、胸部がヒータによって熱せられて血行が促進される。
【００６３】
アーム部１６を左右に開くと、胸マッサージ部１７が側方に移動するので、マッサージチェア３０から離れることができる。
【００６４】
さらに、アーム部１６を取付けブラケット１６Ａから外しておくと、通常のマッサージチェアとして用いることもできる。
【図面の簡単な説明】
【００６５】
【図１】本発明に係る健康増進具の好ましい実施形態の概略構成を示す側面図である。
【図２】上記実施形態の概略構成を示す平面図である。
【図３】人体の表面リンパ管を示す図である。
【図４】第２の実施形態の概略構成を示す側面図である。
【図５】上記実施形態の概略構成を示す平面図である。
【図６】上記実施形態における胸マッサージ部の概略構成を示す断面図である。
【図７】第３の実施形態の概略構成を示す側面図である。
【図８】上記実施形態の概略構成を示す平面図である。
【図９】第４の実施形態の概略構成を示す図である。
【図１０】第５の実施形態の概略構成を示す斜視図である。
【符号の説明】
【００６６】
１０      背当て部（支持ベース）
１２      アーム部（首押さえ部兼肩押さえ部）
１３      ハンドル部
１４      胸押さえ部
１６      アーム部
１７      胸押さえ部
３０      マッサージチェア
３１      背もたれ（支持ベース）
【図１】
2006263393.tif 000003
【図２】
2006263393.tif 000004
【図３】
2006263393.tif 000005
【図４】
2006263393.tif 000006
【図５】
2006263393.tif 000007
【図６】
2006263393.tif 000008
【図７】
2006263393.tif 000009
【図８】
2006263393.tif 000010
【図９】
2006263393.tif 000011
【図１０】
2006263393.tif 000012